(57)【要約】【課題】耐光性、耐湿性に優れた印刷物を作成でき、目詰りの生じないインク組成物、該インク組成物を備えたインクセット、それらを用いたインクジェット記録方法及び該記録方法によって記録された記録物を提供すること。【解決手段】インク組成物が、着色剤として下記の式１で表される化合物及び／又はその塩を含有することにより、形成される画像の耐光性が向上し、カルボキシル基を有する芳香族化合物及び／又はその塩とを含むことにより、耐湿性、耐目詰り性が改善される。【化６】2004091632.tif 000009［式中、Ａは、アルキレン基、フェニレン基を含有するアルキレン基又は【化７】2004091632.tif 000010を表し、Ｘは、ＮＨ２，ＯＨ，Ｃｌを表す。］【選択図】　　　なし【特許請求の範囲】
【請求項１】
少なくとも、水と下記の式１で表される化合物及び／又はその塩から選ばれる少なくとも一種とカルボキシル基を有する芳香族化合物及び／又はその塩から選ばれる少なくとも一種を含有していることを特徴とするインク組成物。
【化１】
2004091632.tif 000007
［式中、Ａは、アルキレン基、フェニレン基を含有するアルキレン基
又は
【化２】
2004091632.tif 000008
を表し、Ｘは、ＮＨ２，ＯＨ，Ｃｌを表す。］
【請求項２】
前記式１で表される化合物及び／又はその塩をインク組成物全量に対して０．２〜１０重量％含んでなる、請求項１に記載のインク組成物。
【請求項３】
前記カルボキシル基を有する芳香族化合物及び／又はその塩をインク組成物全量に対して０．２〜１０重量％含んでなる、請求項１又は２に記載のインク組成物。
【請求項４】
前記式１で表される化合物及び／又はその塩と、前記カルボキシル基を有する芳香族化合物及び／又はその塩との含有比率が、４：１〜１：１０の範囲である、請求項１〜３のいずれか一項に記載のインク組成物。
【請求項５】
前記カルボキシル基を有する芳香族化合物及び／又はその塩が、ナフタレン骨格を持つ化合物及び／又はその塩である、請求項１〜４のいずれか一項に記載のインク組成物。
【請求項６】
前記ナフタレン骨格を持つ化合物及び／又はその塩が、２位にカルボキシル基を有する化合物及び／又はその塩である、請求項５に記載のインク組成物。
【請求項７】
前記２位にカルボキシル基を有する化合物及び／又はその塩が、２−ナフトエ酸、３−ヒドロキシ−２−ナフトエ酸、６−ヒドロキシ−２−ナフトエ酸、６−メトキシ−２−ナフトエ酸及びそれらの塩の少なくとも一種である、請求項６に記載のインク組成物。
【請求項８】
前記の塩が、リチウム塩である、請求項５〜７のいずれか一項に記載のインク組成物。
【請求項９】
前記の塩が、２−ナフトエ酸のリチウム塩、３−ヒドロキシ−２−ナフトエ酸のリチウム塩、６−ヒドロキシ−２−ナフトエ酸のリチウム塩、６−メトキシ−２−ナフトエ酸のリチウム塩である、請求項８に記載のインク組成物。
【請求項１０】
更に、ノニオン系界面活性剤を含んでなる、請求項１〜９のいずれか一項に記載のインク組成物。
【請求項１１】
前記ノニオン系界面活性剤が、アセチレングリコール系界面活性剤である、請求項１０に記載のインク組成物。
【請求項１２】
前記ノニオン系界面活性剤をインク組成物全量に対して０．１〜５重量％含んでなる、請求項１０または１１に記載のインク組成物。
【請求項１３】
更に、浸透促進剤を含んでなる、請求項１〜１２のいずれか一項に記載のインク組成物。
【請求項１４】
前記浸透促進剤が、グリコールエーテルである、請求項１３に記載のインク組成物。
【請求項１５】
２０℃におけるインク組成物のｐＨが、８．０〜１０．５である、請求項１〜１４のいずれか一項に記載のインク組成物。
【請求項１６】
インクジェット記録方法において用いられる、請求項１〜１５のいずれか一項に記載のインク組成物。
【請求項１７】
前記インク組成物が、マゼンタインク組成物である、請求項１〜１６のいずれか一項に記載のインク組成物。
【請求項１８】
インク組成物の液滴を吐出し、該液滴を記録媒体に付着させて記録を行うインクジェット記録方法であって、インク組成物として請求項１〜１７のいずれか一項に記載のインク組成物を用いることを特徴とするインクジェット記録方法。
【請求項１９】
請求項１〜１７のいずれか一項に記載のインク組成物を用いて記録されたことを特徴とする記録物。
【発明の詳細な説明】
【０００１】
【発明の属する技術分野】
本発明は、耐光性、耐湿性に優れたインク組成物、該インク組成物を備えたインクセット、該インク組成物又は該インクセットを用いた記録方法及び記録物に関する。
【０００２】
【従来の技術】
インクジェット記録は、微細なノズルからインク組成物を小滴として吐出し、文字や画像（以下、単に「画像」ということもある。）を記録媒体表面に記録する方法である。インクジェット記録方式としては、電歪素子を用いて電気信号を機械信号に変換して、ノズルヘッド部分に貯えたインク組成物を断続的に吐出して記録媒体表面に文字や画像を記録する方法、ノズルヘッド部分に貯えたインク組成物を吐出部分に極近い一部を急速に加熱して泡を発生させて、その泡による体積膨張で断続的に吐出して、記録媒体表面に文字や画像を記録する方法等が実用化されている。
【０００３】
また、インクジェット記録用のインク組成物としては、安全性や印字特性の面から各種染料を水または有機溶剤、あるいはそれらの混合液に溶解させたものが一般的であるが、様々な特性において、万年筆やボールペンの様な筆記具用インク組成物に比較し、より厳密な条件が要求される。
【０００４】
近年になって、広告用の印刷物の作成にインクジェットプリンタが採用されるようになって来ていることもあって、複数のインク組成物を使用してカラー画像を形成する際には一段と厳しい要求がなされるようになってきている。
なぜなら、複数のインク組成物によって形成されたカラー画像にあっては、一色でも色相の劣るものが存在すると、その色相のために画像全体としての色バランスが劣り、品質の高い画像が得られがたいことになるからである。
【０００５】
特に、カラーインクジェットプリンタによる“写真画質”印刷は、ヘッド、インク組成物、記録方法、そしてメディアのそれぞれの継続的な改良によって“銀塩写真”と遜色ないレベルとなり、画質においては“写真並”となった。この一方で、得られた画像の保存性に関しても、インク組成物及びメディアの改良により、特性向上が図られている。特に耐光性に関しては、実用上問題のないレベルまでの特性改良が行われているものの、銀塩写真と肩を並べるまでには至っていない。耐光性能力の評価に関しては、Ｙ、Ｍ、Ｃのそれぞれの純色のパターン　（光学濃度が１．０近傍）の退色率を指標に判断が行われているのが標準的である。現在市場で市販されているプリンターに搭載されているインク組成物の耐光性能力に関しては、上記評価手法を用いて判断した場合、マゼンタインク組成物の能力が最も低い。よって、マゼンタインク組成物の耐光性を改良することは、写真並みの画像の耐光性向上に繋がる。
【０００６】
このような観点から、本発明者等は、特定の構造を持った化合物をマゼンタインク組成物の着色剤として使用することによって、写真並み画像の耐光性の改善を図ったマゼンタインク組成物を備えたインクセットを提供している（特願２００２−１２００６９号、特願２００２−１２００７０号）。
その後の研究において、本発明者等は、上記特定の構造を持った化合物を含有したインク組成物にカルボキシル基を有する芳香族化合物又はその塩を添加したところ耐湿性においても改善が図られることを知った。
【０００７】
【発明が解決しようとする課題】
そこで、本発明は、上記のような知見を基にしてなされたものであって、その目的とするところは、耐光性、耐湿性において優れた画像を記録することが可能なインク組成物、該インク組成物を備えたインクセット、そのインクセットを使用した記録方法およびそのインクセットにより記録された記録物を提供することである。
【０００８】
【課題を解決するための手段】
１．本発明に係るインク組成物は、少なくとも、水と下記の式１で表される化合物及び／又はその塩から選ばれる少なくとも一種とカルボキシル基を有する芳香族化合物及び／又はその塩から選ばれる少なくとも一種を含有していることを特徴とする。
【化３】
2004091632.tif 000002
［式中、Ａは、アルキレン基、フェニレン基を含有するアルキレン基
又は
【化４】
2004091632.tif 000003
を表し、Ｘは、ＮＨ２，ＯＨ，Ｃｌを表す。］
【０００９】
２．本発明に係るインク組成物は、前記１において、前記式１で表される化合物及び／又はその塩をインク組成物全量に対して０．２〜１０重量％含んでなることを特徴とする。
３．本発明に係るインク組成物は、前記１又は２において、前記カルボキシル基を有する芳香族化合物及び／又はその塩をインク組成物全量に対して０．２〜１０重量％含んでなることを特徴とする。
４．本発明に係るインク組成物は、前記１〜３のいずれかにおいて、前記式１で表される化合物及び／又はその塩と、前記カルボキシル基を有する芳香族化合物及び／又はその塩との含有比率が、４：１〜１：１０の範囲であることを特徴とする。
【００１０】
５．本発明に係るインク組成物は、前記１〜４のいずれかにおいて、前記カルボキシル基を有する芳香族化合物及び／又はその塩が、ナフタレン骨格を持つ化合物及び／又はその塩であることを特徴とする。
６．本発明に係るインク組成物は、前記５において、前記ナフタレン骨格を持つ化合物及び／又はその塩が、２位にカルボキシル基を有する化合物及び／又はその塩であることを特徴とする。
７．本発明に係るインク組成物は、前記６において、前記２位にカルボキシル基を有する化合物及び／又はその塩が、２−ナフトエ酸、３−ヒドロキシ−２−ナフトエ酸、６−ヒドロキシ−２−ナフトエ酸、６−メトキシ−２−ナフトエ酸及びそれらの塩の少なくとも一種であることを特徴とする。
８．本発明に係るインク組成物は、前記１〜７のいずれかにおいて、前記の塩が、リチウム塩であることを特徴とする。
９．本発明に係るインク組成物は、前記８において、前記の塩が、２−ナフトエ酸のリチウム塩、３−ヒドロキシ−２−ナフトエ酸のリチウム塩、６−ヒドロキシ−２−ナフトエ酸のリチウム塩、６−メトキシ−２−ナフトエ酸のリチウム塩であることを特徴とする。
【００１１】
１０．本発明に係るインク組成物は、前記１〜９のいずれかにおいて、更に、ノニオン系界面活性剤を含んでなることを特徴とする。
１１．本発明に係るインク組成物は、前記１０において、前記ノニオン系界面活性剤が、アセチレングリコール系界面活性剤であることを特徴とする。
１２．本発明に係るインク組成物は、前記１０または１１において、前記ノニオン系界面活性剤をインク組成物全量に対して０．１〜５重量％含んでなることを特徴とする。
１３．本発明に係るインク組成物は、前記１〜１２のいずれかにおいて、更に、浸透促進剤を含んでなることを特徴とする。
１４．本発明に係るインク組成物は、前記１３において、前記浸透促進剤が、グリコールエーテルであることを特徴とする。
【００１２】
１５．本発明に係るインク組成物は、前記１〜１４のいずれかにおいて、２０℃におけるインク組成物のｐＨが、８．０〜１０．５であることを特徴とする。
１６．本発明に係るインク組成物は、前記１〜１５のいずれかにおいて、インクジェット記録方法において用いられることを特徴とする。
１７．本発明に係るインク組成物は、前記１〜１６のいずれかにおいて、インク組成物が、マゼンタインク組成物であることを特徴とする。
【００１３】
１８．本発明に係るインクジェット記録方法は、インク組成物の液滴を吐出し、該液滴を記録媒体に付着させて記録を行うインクジェット記録方法であって、インク組成物として前記１〜１７のいずれかに記載のインク組成物を用いることを特徴とする。
１９．本発明に係る記録物は、前記１〜１７のいずれかに記載のインク組成物を用いて記録されたことを特徴とする。
【００１４】
【発明の実施の形態】
本発明のインク組成物は、水又は、水と水溶性有機溶剤からなる水性媒体中
に、着色剤として、前記の式１で表される化合物（その塩を含む、以下においては記載を省略する）と、耐湿性向上剤として、カルボキシル基を有する芳香族化合物（その塩を含む、以下においては記載を省略する）を少なくとも含有し、必要に応じ、保湿剤、粘度調整剤、ｐＨ調整剤やその他の添加剤を含んでなることができる。
【００１５】
本発明において用いられる前記の式１で表される化合物は、どのような方法で製造されても良いが、例えば、以下のような方法で製造することもできる。
１）１−メチルアミノ−４−ブロモアントラキノンにベンゾイル酢酸エチルエステルを溶媒中で反応させ、１−ベンゾイル−６−ブロモ−２，７−ジヒドロ−３−メチル−２，７−ジオキソ−３Ｈ−ジベンゾ［ｆ，ｉｊ］イソキノリンを得る。
２）次いで、上記１）で得られた化合物とメタアミノアセトアニリドを溶媒中で反応させ、３’−［１−ベンゾイル−２，７−ジヒドロ−３−メチル−２，７−ジオキソ−３Ｈ−ジベンゾ［ｆ，ｉｊ］イソキノリン−６−イルアミノ］−アセトアニリドを得る。
３）次いで、上記２）で得られた化合物を発煙硫酸中で反応させ、トリナトリウム−６−アミノ−４−［２，７−ジヒドロ−３−メチル−１−（３−スルホナトベンゾイル）−２，７−ジオキソ−３Ｈ−ジベンゾ［ｆ，ｉｊ］イソキノリン−６−イルアミノ］−ベンゼン−１，３−ジスルホナートを得る。
４）次いで、上記３）で得られた化合物とシアヌルクロライドとを水中で反応させて１次縮合物を、更に、連結器Ａを有するジアミンを反応させて２次縮合物を得る。
５）次いで、上記４）で得られた化合物をそのまま、または加水分解、あるいはアンモニアと反応させて３次縮合物と成し、目的とする前記式１で表される化合物を得る。
【００１６】
本発明において、インク組成物に用いられる着色剤としては、前記式１で表される化合物の中から単独種選択して用いることもできるが、複数種選択して用いても良い。
前記式１で表される化合物を含むインク組成物は、従来使用されているマゼンタ系の染料を含むインク組成物に比べて耐光性に優れたものである。
【００１７】
インク組成物中における着色剤の濃度は、着色剤として使用される式１で表される化合物のカラーバリューにしたがって適宜選択することができるが、通常、該インク組成物が式１で表される化合物を０．２〜１０重量％含有することが好ましい。０．２重量％以上であれば、発色性を確保することができ、１０重量％以下であればインクジェットインク組成物として満たすべき物性や目詰り等の信頼性確保が容易である。
【００１８】
また、本発明においては、上記式１で表される化合物が含まれるインク組成物であれば、マゼンタインク組成物は勿論のこと、例えば、ブラックインク組成物やダークイエローインク組成物等のマゼンタとは異なる色のインク組成物であっても、カルボキシル基を有する化合物を併用することで耐湿性を向上させることができる。これら各種のインク組成物を作製するためには、従来公知の染料を併用することができる。
【００１９】
本発明において、インク組成物に耐湿性向上剤として用いられる、カルボキシル基を有する芳香族化合物としては、分子構造中にカルボキシル基を少なくとも一つ有する芳香族化合物であればいかなるものでもよく、その塩としては、アルカリ金属塩が好ましく、その中でもリチウム塩が耐目詰り性の点で特に好まし
い。また、２位にカルボキシル基を有し、ナフタレン骨格を持つ化合物又はその塩が好ましく、より好ましいものとしては、２位にカルボキシル基を有し、ナフタレン骨格を持つ化合物のアルカリ金属塩（特に、リチウム塩）が挙げられる。
カルボキシル基を有する芳香族化合物としては、具体的には、２−ナフトエ
酸、３−ヒドロキシ−２−ナフトエ酸、６−ヒドロキシ−２−ナフトエ酸、４−ヒドロキシ安息香酸、６−メトキシ−２−ナフトエ酸等及びそれらの塩（特に、リチウム塩）が挙げられる。
【００２０】
これらのカルボキシル基を有する芳香族化合物の含有量は、カルボキシル基を有する芳香族化合物の種類、染料の種類、溶媒成分の種類等により決めれるが、インク組成物全重量に対し、０．２〜１０重量％、好ましくは、０．５〜５重量％の範囲である。
【００２１】
本発明のインク組成物においては、前記の式１で表される化合物とカルボキシル基を有する芳香族化合物の含有比率は、４：１〜１：１０、より好ましくは２：１〜１：６、更に好ましくは、１：１〜１：４の範囲である。４：１よりもカルボキシル基を有する芳香族化合物の比率を高くすることで、耐湿性の改善効果が十分に得ら、また、１：１０よりもカルボキシル基を有する芳香族化合物の比率を低くすることで、吐出特性や目詰まり信頼性等を容易に確保できる。
【００２２】
水性媒体が酸性であると、前記の式１で表される化合物の溶解性およびカルボキシル基を有する芳香族化合物の溶解性が低下するため、所定の前記の式１で表される化合物およびカルボキシル基を有する芳香族化合物の量を安定して溶解させるためには、インク組成物のｐＨ（２０℃）を８．０以上とすることが好ましい。また、インク組成物が接する各種部材との耐材料性を考慮すると、インク組成物のｐＨを１０．５以下とすることが好ましい。これらの事項をよりよく両立させるためには、インク組成物のｐＨを８．　５〜１０．０に調整することがより好ましい。
【００２３】
本発明におけるインク組成物は、主溶媒として、水又は水と水溶性有機溶媒の混合液を使用することが好ましい。
水としては、イオン交換水、限外濾過水、逆浸透水、蒸留水等を用いることができる。また、長期保存の観点から、紫外線照射や過酸化水素添加などの各種化学滅菌処理を施した水が好ましい。
本発明におけるインク組成物において、主溶媒として使用される場合の水の含有量は、インク組成物の全重量に対し、５０〜９０重量％であることが好ましく、更に好ましくは、６０〜８０重量％である。
【００２４】
本発明のインク組成物は、さらに蒸気圧が純水よりも小さい水溶性有機溶剤及び／又は糖類から選ばれる保湿剤を含むことができる。
保湿剤を含むことにより、インクジェット記録方式において、水分の蒸発を抑制してインクを保湿することができる。また、水溶性有機溶剤であれば、吐出安定性を向上させたり、インク特性を変化させることなく粘度を容易に変更することができる。
水溶性有機溶剤は、溶質を溶解する能力を持つ媒体を指しており、有機性で蒸気圧が水より小さい水溶性の溶媒から選ばれる。具体的には、エチレングリコール、プロピレングリコール、ブタンジオール、ペンタンジオール、２−ブテン−１，４−ジオール、２−メチル−２，４−ペンタンジオール、グリセリン、１，２，６−ヘキサントリオール、ジエチレングリコール、トリエチレングリコール、ジプロピレングリコール等の多価アルコール類、アセトニルアセトン等のケトン類、γ−ブチロラクトン、リン酸トリエチル等のエステル類、フルフリルアルコール、テトラヒドロフルフリルアルコール、チオジグリコール等が望ましい。
また、糖類は、マルチトール、ソルビトール、グルコノラクトン、マルトース等が好ましい。
保湿剤は、インク組成物全量に対して５〜５０重量％、より好ましくは、５〜３０重量％、さらに好ましくは、５〜２０重量％の範囲で添加されることが好ましい。５重量％以上であれば、保湿性が得られ、また、５０重量％以下であれば、インクジェット記録に用いられる粘度に調整しやすい。
【００２５】
また、本発明のインク組成物には、インクの速やかな定着（　浸透性）　を得ると同時に、１ドットの真円度を保つのに効果的な添加剤として、ノニオン系界面活性剤を含むことが好ましい。
【００２６】
本発明に用いられるノニオン系界面活性剤としては、例えば、アセチレングリコール系界面活性剤が挙げられる。アセチレングリコール系界面活性剤として、具体的には、サーフィノール４６５、サーフィノール１０４、オルフィンＳＴＧ（　以上、日信化学社製、商品名）　等が挙げられる。その添加量は０．　１〜５重量％、好ましくは０．　５〜２重量％である。添加量を０．　１重量％以上とすることで、十分な浸透性を得ることができ、また、５重量％以下とすることで、画像のにじみの発生を防止し易い。
【００２７】
さらに、ノニオン系界面活性剤に加えて、浸透促進剤として、グリコールエーテル類を添加することにより、より浸透性が増すとともに、カラー印刷を行った場合の隣合うカラーインクとの境界のブリードが減少し、非常に鮮明な画像を得ることができる。
【００２８】
本発明において使用されるグリコールエーテル類としては、エチレングリコールモノブチルエーテル、ジエチレングリコールモノブチルエーテル、トリエチレングリコールモノエチルエーテル、プロピレングリコールモノメチルエーテル、ジプロピレングリコールモノエチルエーテル、プロピレングリコールモノブチルエーテル、ジプロピレングリコールモノブチルエーテル、トリエチレングリコールモノブチルエーテル等が挙げられる。その添加量は３〜３０重量％、好ましくは５〜１５重量％である。添加量を３重量％以上とすることで、十分なブリード防止効果が得られ、また、３０重量％以下とすることで、画像のにじみの発生を防止し易く、インクの保存安定性を確保し易い。
【００２９】
さらに、本発明のインク組成物には、必要に応じて、トリエタノールアミンやアルカリ金属の水酸化物等のｐＨ調整剤、尿素およびその誘導体等のヒドロトロピー剤、アルギン酸ナトリウム等の水溶性ポリマー、水溶性樹脂、フッ素系界面活性剤、防カビ剤、防錆剤等が添加されてもよい。
【００３０】
本発明のインク組成物においては、前記した任意成分は、単独又は各群内および各群間において複数種選択して混合して用いることもできる。
また、本発明のインク組成物においては、インク組成物の全ての成分の量は、インク組成物の粘度が２０℃で１０ｍＰａ・ｓ未満であるように選択されるのが好ましい。
また、本発明のインク組成物は、その表面張力が４５ｍＮ／ｍ以下、好ましくは、２５〜４５ｍＮ／ｍの範囲である。
【００３１】
本発明のインク組成物の調製方法としては、たとえば、各成分を十分混合溶解し、孔径０．　８μｍ　のメンブランフィルターで加圧濾過したのち、真空ポンプを用いて脱気処理して調製する方法などがある。
【００３２】
次に、上述のインク組成物を用いた本発明の記録方法について説明する。本発明の記録方法はインク組成物を微細孔から液滴として吐出させ、該液滴を記録媒体に付着させて記録を行うインクジェット記録方式がとりわけ好適に使用できるが、一般の筆記具用、記録計、ペンプロッター等の用途にも使用できることは言うまでもない。
【００３３】
インクジェット記録方式としては、従来公知の方式はいずれも使用でき、特に圧電素子の振動を利用して液滴を吐出させる方法（電歪素子の機械的変形によりインク組成物滴を形成するインクジェットヘッドを用いた記録方法）や熱エネルギーを利用する方法においては優れた画像記録を行うことが可能である。
【００３４】
【実施例】
次に、本発明の実施例を比較例と共に挙げ、本発明を具体的に説明するが、本発明は、以下の実施例によって限定されるものではない。
【００３５】
［実施例１〜１２及び比較例１］
実施例１〜１２及び比較例１のインク組成物を表１に示す配合割合で各成分を混合して溶解させ、１μｍのメンブランフィルターにて加圧濾過を行って、各インク組成物を調整した。なお、表中に示すインク組成物の各成分はインク組成物全量に対する各成分の重量％を示し、残量は水である。
実施例及び比較例における着色剤は、式１で表される化合物の一例として下記式２で表される化合物をＭ染料１として用いた。
【化５】
2004091632.tif 000004
【００３６】
【表１】
2004091632.tif 000005
【００３７】
＜記録物の印字＞
上記実施例１〜１２及び比較例１のインク組成物をインクジェットプリンタ
Ｓｔｙｌｕｓ　Ｃｏｌｏｒ　８８０（セイコーエプソン株式会社製）を用いて、これの専用カートリッジ（Ｍａｇｅｎｔａ室）に充填し、インクジェット専用記録媒体（ＰＭ写真用紙；セイコーエプソン株式会社製、型番；ＫＡ４２０ＰＳＫ）に対し以下のように印刷を行った。
【００３８】
＜耐光性評価＞
上記のカートリッジを用い、それぞれのインク組成物に対し、ＯＤ（Ｏｐｔｉｃａｌ　Ｄｅｎｓｉｔｙ）値が０．９〜１．１の範囲に入るようにＤｕｔｙを調整して印刷を行った。これを直射日光のあたらない常温常湿環境にて１日放置した後、得られた記録物の耐光性を以下の条件下で評価した。
蛍光灯耐候性試験機ＳＦＴ−ＩＩ（スガ試験機株式会社製）を用い、２４℃、６０％ＲＨの条件下で、照度７０，０００ｌｕｘにて記録物を７日間、１４日間、２１日間、２８日間照射した。
曝露サンプルのＯＤ値（Ｏｐｔｉｃａｌ　Ｄｅｎｓｉｔｙ）を、反射濃度計（「Ｓｐｅｃｔｒｏｌｉｎｏ」Ｇｒｅｔａｇ社製）を用いて測定した。各測定値を以下の式に代入することにより、退色後の光学濃度残存率（Ｒｅｌｉｃｔ　Ｏｐｔｉｃａｌ　Ｄｅｎｓｉｔｙ；ＲＯＤ）を得た。
ＲＯＤ（％）＝（Ｄｎ／Ｄ０）×１００
（Ｄｎ：照射試験後のＯＤ、Ｄ０：照射試験前のＯＤ）
そして投入した期間（日数）を横軸、得られたＲＯＤを縦軸にプロットすることで、それぞれの近似曲線を求めた。得られた近似式によりＲＯＤが７０％まで減少するまでの期間を求め、以下の判断基準により耐光性を評価し、その結果を表２に示した。
【００３９】
Ａ：ＲＯＤが、２５日経過持までに７０％まで減少しない。
Ｂ：ＲＯＤが、７０％まで減少するのが２０日を超え、２５日以下である。
Ｃ：ＲＯＤが、７０％まで減少するのが１５日を超え、２０日以下である。
Ｄ：ＲＯＤが、７０％まで減少するのが１０日を超え、１５日以下である。
Ｅ：ＲＯＤが、７０％まで減少するのが５日を超え、１０日以下である。
【００４０】
＜耐湿性評価＞
上記のカートリッジを用い、１インチ平方当たり１．５〜２．２ｍｇの打ち込み量になる吐出条件において、文字及び白抜き文字を印刷した。得られた印字物を２５℃、４０％ＲＨの環境下で２４時間乾燥させた後に、４０℃、８５％ＲＨの環境下に所定時間放置し、染料の滲み出し（白抜き文字の潰れ）を目視にて確認し、以下の判断基準により、耐湿性を評価し、その結果を表２に示した。
【００４１】
Ａ：染料の滲み出しが殆ど観察されない。
Ｂ：染料の滲み出しが若干有り、文字の輪郭がやや崩れているレベル。
Ｃ：染料の滲み出しが観察され、文字の輪郭が崩れているレベル。
Ｄ：染料の滲み出しが観察され、文字太り及び白抜き文字が全体に染まっているレベル。
Ｅ：染料の滲み出しが顕著に観察され、文字及び白抜き文字が判読不能なレベル。
【００４２】
＜目詰り性評価＞
上記のカートリッジを用い、１０分間連続して印刷し、全てのノズルが正常に吐出していることを確認後、インクカートリッジを装着したまま、ノズルでの乾燥状態を加速するために、記録ヘッドをヘッドキャップから外した状態で、４０℃の環境に２週間放置した。放置後、全ノズルが初期と同等に吐出するまでクリーニング動作を繰り返し、以下の判断基準により、回復しやすさを評価し、その結果を表２に示した。
【００４３】
Ａ：１〜４回のクリーニング操作で初期と同等に回復。
Ｂ：５〜８回のクリーニング操作で初期と同等に回復。
Ｃ：９〜１２回のクリーニング操作で初期と同等に回復。
Ｄ：現実的な回数のクリーニング操作では回復せず。
【００４４】
【表２】
2004091632.tif 000006
【００４５】
なお、耐湿性の評価では、同一分類の評価となったが、耐湿性向上剤としてはヒドロキシル基を有する化合物の方がヒドロキシル基を有しない化合物よりも高い効果を示した。また、ナフタレン骨格を有する化合物の場合、カルボキシル基の位置が１位より２位にあるものの方が高い効果を示した。
【００４６】
【発明の効果】
本発明は、以上詳記したとおり、インク組成物の着色剤として上記式１で表わさせる化合物及び上記カルボキシル基を有する芳香族化合物を含有させることにより、該インク組成物を用いて記録したものは、耐光性、耐湿性に優れると共に、該インク組成物を用いて記録を行うと耐目詰り性においても優れた効果を奏する。